(57)【要約】      （修正有）【課題】歩行時に外の空気をスムーズにくつ内部に導入し、快適に着用できるエア呼吸インソール構造を提供する。【解決手段】エア呼吸インソール構造は、前足部に通気孔１１を設置する上インソール１と下インソール３の中間に挟んで設置される同型でやや小さいウレタンフォームクッション２からなる。上インソール１の底面には収容設置槽１２を陥没状に設置し、周囲にウレタンフォームクッション２を嵌め入れて、下インソール３と接着して封鎖する周囲フレーム１３を形成する。かかと後方の周囲フレームには欠口１４を陥没状に設置する。欠口にはウレタンフォームクッションが延長するウレタンフォーム体２１、或いは導気管を入れ、くつ体の開孔に対応して外へと伸び出て、インソールかかと部位に空気が進退する流道を形成する。【選択図】図１
0003200163.tif 000002
【実用新案登録請求の範囲】
【請求項１】
前足部に通気孔を設置し、且つ、底面には収容設置槽を陥没状に設置し、周囲に周囲フレームを形成する上インソールと、前記上インソールの下側に配置される下インソールと、を備え、
前記収容設置槽には、当該収容設置槽と同型で、これより小さく、且つ、弾性、多孔性、通気性を有するウレタンフォームクッションを嵌め入れて設置し、前記周囲フレームにより、前記下インソールの外周と接着封鎖し、前記ウレタンフォームクッションを前記上インソールと下インソールの中間に挟んで設置し、定位するエア呼吸インソール構造であって、
前記上インソールのかかと位置の周囲フレームには、欠口を陥没状に設置し、前記欠口には、前記ウレタンフォームクッションの後段から延長して伸びる短状ウレタンフォーム体を対応させて入れることができ、前記欠口の位置の上インソールと下インソールとを押し開き、前記上インソールと下インソールの間の内部空気は進退して空気が交換される開放型の空気流道を形成し、くつ内の空気の流通と換気を達成することを特徴とするエア呼吸インソール構造。
【請求項２】
前足部に通気孔を設置し、且つ、底面には収容設置槽を陥没状に設置し、周囲に周囲フレームを形成する上インソールと、前記上インソールの下側に配置される下インソールと、を備え、
前記収容設置槽には、当該収容設置槽と同型で、これより小さく、且つ、弾性、多孔性、通気性を有するウレタンフォームクッションを嵌め入れて設置し、前記周囲フレームにより、前記下インソールの外周と接着封鎖し、前記ウレタンフォームクッションを前記上インソールと下インソールの中間に挟んで設置し、定位するエア呼吸インソール構造であって、
前記上インソール底面の周囲に設置される周囲フレームには、かかと後方位置に、１個或いは数個の任意の形状の欠口を陥没状に設置し、前記欠口に導気管を設置し、前記導気管は前記ウレタンフォームクッションの後端から後方へと伸び出し、
前記導気管により、前記上インソールと下インソールの間の内部空気が進退し、空気交換がされる開放型の空気流道を形成することを特徴とするエア呼吸インソール構造。
【請求項３】
前記後方へと伸び出す導気管は、くつ体のかかと部の底段に対称に設置する欠口の後方位置に開設する排気口に前記導気管を対応させて嵌め入れた後、その末端管口は、くつ体外と連通し、通気と温度低下を達成できることを特徴とする請求項２に記載のエア呼吸インソール構造。
【請求項４】
前足部に通気孔を設置し、且つ、底面には収容設置槽を陥没状に設置し、周囲に周囲フレームを形成する上インソールと、前記上インソールの下側に配置される下インソールと、を備え、
前記収容設置槽には、当該収容設置槽と同型で、これより小さく、且つ、弾性、多孔性、通気性を有するウレタンフォームクッションを嵌め入れて設置し、前記周囲フレームにより、前記下インソールの外周と接着封鎖し、前記ウレタンフォームクッションを前記上インソールと下インソールの中間に挟んで設置し、定位するエア呼吸インソール構造であって、
前記上インソールの周囲に設置される周囲フレームにおいて、かかとの後方の周囲フレームには、１個或いは数個の任意の形状の欠口を設置し、前記欠口に転接管を設置し、前記転接管は前記ウレタンフォームクッションの後端から後方へと伸び出し、
前記転接管により、前記欠口の部位の上インソール及び下インソールを押し開き、前記上インソールと下インソールの間の内部空気が進退して空気が交換される開放型の空気流道を形成し、
且つ、前記後方へと伸び出す転接管の末端には、Ｌ型のケーシングの底端の屈折嵌口を嵌めて接続し、曲がり、延伸して設置する通気管道を形成することができ、前記ケーシングは、くつ体の内側に隠された後、前記ケーシングの管体末端出口が、くつ体の外と連通し、前記転接管、前記ケーシングにより、くつ体外の新鮮な空気を導入或いは排出し、通気と温度低下を達成することを特徴とするエア呼吸インソール構造。
【請求項５】
前足部に通気孔を設置し、且つ、底面には収容設置槽を陥没状に設置し、周囲に周囲フレームを形成する上インソールと、前記上インソールの下側に配置されるくつ底と、を備え、
前記収容設置槽には、当該収容設置槽と同型で、これより小さく、且つ、弾性、多孔性、通気性を有するウレタンフォームクッションを嵌め入れて設置し、前記周囲フレームにより、前記くつ底の外周と接着封鎖し、前記ウレタンフォームクッションを前記上インソールと、くつ底に挟んで設置し、定位するエア呼吸インソール構造であって、
前記上インソールのかかと位置の周囲フレームには、欠口を陥没状に設置し、前記欠口には、前記ウレタンフォームクッションの後段から延長して伸びる短状ウレタンフォーム体を対応させて入れることができ、前記欠口位置の上インソールとくつ底とを押し開き、前記上インソールとくつ底の間の内部空気は進退して空気が交換される開放型の空気流道を形成して通気口とし、くつ内の空気の流通と換気を達成することを特徴とするエア呼吸インソール構造。
【請求項６】
前記くつ体のくつ底のかかと部の底段に排気口を設置し、
前記インソールの後段のウレタンフォーム体の部位の通気口は、前記排気口に対応し、或いは、挿入され、くつ体外の新鮮空気を導入できることを特徴とする請求項５に記載のエア呼吸インソール構造。
【請求項７】
前足部に通気孔を設置し、且つ、底面には収容設置槽を陥没状に設置し、周囲に周囲フレームを形成する上インソールと、前記上インソールの下側に配置される下インソールと、を備え、
前記収容設置槽には、当該収容設置槽と同型で、小さく、且つ、弾性、多孔性、通気性を有するウレタンフォームクッションを嵌め入れて設置し、前記周囲フレームにより、前記下インソールの外周と接着封鎖し、前記ウレタンフォームクッションを前記上インソールと下インソールの中間に挟んで設置し、定位する換気インソールであって、
前記下インソールの後段のくつかかと部には、下向きに貫通する導気口を開設し、前記かかと部に接着するクッションブロックを追加し、その後段には、前記導気口と対応し、空気流道と接続する折型引気口を開設し、前記折型引気口は引気管に接続し、前記引気管は前記クッションブロックから伸び出し、くつ体外の新鮮空気を導入し、くつの温度低下を達成することを特徴とするエア呼吸インソール構造。
【考案の詳細な説明】
【技術分野】
【０００１】
本考案はエア呼吸インソール構造に関し、くつ内に入れるインソール構造で、上インソール、下インソール及び二枚のインソール体中間に挟んで設置する同型でやや小さいウレタンフォームクッションからなるインソールにおいて、インソールはウレタンフォームクッションかかと部位中段の後方に欠口を設置し、ウレタンフォーム体或いは導気管を入れ、くつ面と結合することで、歩行時にくつ体外の空気をスムーズに阻害されることなくくつ内部に導入することができるエア呼吸インソール構造に関する。
【背景技術】
【０００２】
換気機能を備えるインソールは通常は、気室を有する。
【０００３】
気室上方は足裏と接触する上インソールで、かかと部位には進気口を設置し、前足部位には数個の出気口を設置する。
【０００４】
その構造は複雑でコストが高い等の欠点を有する。
【０００５】
且つ、しばしば、設置する進、出気口は使用過程において、使用者のかかと或いは前足部により覆われ塞がれるという欠点がある。
【０００６】
さらに、長いズボンによりくつ面が覆われると、くつ外空気のくつ内部への導入が容易でないという欠点もあった。
【０００７】
上記した構造には、特許文献１、特許文献２、特許文献３、特許文献４、特許文献５、特許文献６がある。
【０００８】
インソール内部の気室に、ウレタンフォームクッションを充填する構造には、特許文献７、特許文献８、特許文献９がある。
【０００９】
本考案は、特許文献６、特許文献１０等の前案の欠点に対して、改良方案を提出する。
【００１０】
それは、ウレタンフォームクッションかかと部位中段の後方に欠口を設置し、ウレタンフォーム体或いは導気管を入れ、くつ面と結合することで、歩行時にくつ体外の空気をスムーズに阻害されることなくくつ内部に導入することができる。
【００１１】
また、インソールかかと後方に通気口を設置する構造には、特許文献１１、特許文献１１、特許文献１３がある。
【００１２】
しかし、これら前案は気室或いはエアチューブを設置することで換気機能を提供するものであるが、同様に製造の難度とコストが高いという問題がある。
【先行技術文献】
【特許文献】
【００１３】
【特許文献１】米国特許第ＵＳ４２１５４９２号明細書
【特許文献２】米国特許第ＵＳ５０１０６６１号明細書
【特許文献３】米国特許第ＵＳ５３３３３９７号明細書
【特許文献４】米国特許第ＵＳ４２２４７４６号明細書
【特許文献５】ＰＣＴ特許第ＷＯ９７／０４６７６Ａ１号明細書
【特許文献６】米国特許第ＵＳ８０３７６２２Ｂ２号明細書
【特許文献７】米国特許第ＵＳ４２２４７４６号明細書
【特許文献８】米国特許第ＵＳ６００６４４７号明細書
【特許文献９】ＰＣＴ特許第ＷＯ９７／０４６７６Ａ１号明細書
【特許文献１０】米国特許第ＵＳ７９９２３２３Ｂ２号明細書
【特許文献１１】米国特許第ＵＳ５０１０６６１号明細書
【特許文献１２】米国特許第ＵＳ４２２４７４６号明細書
【特許文献１３】米国特許第ＵＳ５３３３３９７号明細書
【考案の概要】
【考案が解決しようとする課題】
【００１４】
前記先行技術は、その説明で分かるとおり、どれも複雑でコストが高い等の欠点がある。
【課題を解決するための手段】
【００１５】
本考案は上インソールの底面に収容設置槽を陥没状に設置し、周囲にはウレタンフォームクッションを嵌め入れて設置し、下インソールと接着封鎖する周囲フレームを設置し、且つ、かかと後方の周囲フレームには任意の形状の欠口を陥没状に設置し、欠口にはウレタンフォームクッションから延伸して出るウレタンフォーム体を入れ、或いは１個或いは数個の導気管を入れ、欠口部位の上、下インソールを押し開き、くつ体の開孔に対応して、ウレタンフォーム体或いは導気管はくつ体外へと伸び出し、インソールかかと部位の空気の進退の空気流道とし、くつの着用者が歩行或いは走ると、前足部、かかと部位の交互の圧迫とリリースにより、くつ内空気と、外空気交換を十分に行え、快適な着用効果を提供できるエア呼吸インソール構造に関する。
【００１６】
本考案はくつ底により下インソールに置換することで、上インソール、ウレタンフォームクッションにウレタンフォーム体を、直接、くつ底上方に組み合わせ、インソールと結合させ、呼吸空気機能のくつ底を形成し、インソールを別に増設するコストを省き、構造をシンプルにすることができるエア呼吸インソール構造に関する。
【００１７】
本考案はウレタンフォームクッションかかと部位中段の後方に欠口を設置し、ウレタンフォームクッションから延伸し伸びるウレタンフォーム体を入れ、或いは１個或いは数個の導気管を入れ、通気口とし、インソールを水洗する時には、ウレタンフォームクッション内の水分を吸入し、かかと後方の通気口より外へと流出させ、洗浄及び乾燥が容易なエア呼吸インソール構造に関する。
【００１８】
本考案の実施形態を応用する特徴の一つは、くつ内空気と外空気の交換を十分に行え、快適な着用効果を提供することができる。
【図面の簡単な説明】
【００１９】
【図１】本考案の平面エア呼吸インソール構造の第一実施形態の立体分解図である。
【図１Ａ】図１の立体組合せ図である。
【図１Ｂ】図１の組合せ断面説明図である。
【図１Ｃ】図１Ａの別種の実施形態の立体組合せ図である。
【図１Ｄ】図１Ｃの組合せ断面説明図である。
【図２】本考案のカップ状立体エア呼吸インソール構造の第一実施形態の立体分解図である。
【図３】本考案の平面エア呼吸インソール構造の第二実施形態の立体分解図である。
【図３Ａ】図３の組合せ断面説明図である。
【図４】本考案のカップ状立体エア呼吸インソール構造の第二実施形態の立体分解図である。
【図５】本考案の平面エア呼吸インソール構造の第三実施形態の立体分解図である。
【図５Ａ】図５の組合せ断面説明図である。
【図６】本考案のカップ状立体エア呼吸インソール構造の第三実施形態の立体分解図である。
【図７】本考案の平面エア呼吸インソール構造の第四実施形態の立体分解図である。
【図７Ａ】図７の組合せ断面説明図である。
【図８】本考案の平面エア呼吸インソール構造の第五実施形態の立体分解図である。
【図９】本考案のカップ状立体エア呼吸インソール構造の第五実施形態の立体分解図である。
【図１０】本考案の呼吸空気操作の断面説明図である。
【考案を実施するための形態】
【００２０】
（一実施形態）
【００２１】
図１、図１Ａ、図１Ｂ及び図２に示すとおり、本考案は、前足部に通気孔１１、１１Ａを設置する上インソール１、１Ａの成型時に、その底面に、収容設置槽１２、１２Ａを陥没状に設置する。
【００２２】
これにより、その周囲には、周囲フレーム１３、１３Ａを形成する。
【００２３】
こうして、周囲フレーム１３、１３Ａは、同型でやや小さく、且つ、弾性、多孔性、通気性を有するウレタンフォームクッション２を提供し、収容設置槽１２、１２Ａ内に嵌めて設置する。
【００２４】
周囲フレーム１３、１３Ａにより、下インソール３、３Ａの外周と接着封鎖し、ウレタンフォームクッション２を、上インソール１、１Ａと下インソール３、３Ａの中間に挟んで設置し、定位するエア呼吸インソールを形成する。
【００２５】
上インソール１、１Ａかかと位置の周囲フレーム１３、１３Ａには、欠口１４、１４Ａを陥没状に設置する。
【００２６】
こうして、欠口１４、１４Ａには、ウレタンフォームクッション２の後段から延長して伸びる短状ウレタンフォーム体２１を対応させて入れることができる。
【００２７】
欠口１４、１４Ａと同型でやや小さいウレタンフォーム体２１の厚みにより、欠口１４、１４Ａの部位の上、下インソールを広げることができる。
【００２８】
ウレタンフォーム体２１の通気性により、上インソール１、１Ａと下インソール３、３Ａの間の内部空気ＡＩＲが進退して、空気が交換される開放型の空気流道を形成する。
【００２９】
エア呼吸インソールの製造時には、ウレタンフォームクッション２とウレタンフォーム体２１とは、一体成形される。
【００３０】
くつの着用者の足部が踏み込みと持ち上げの循環動作を連続すると、ウレタンフォームクッション２に対する圧縮とリリースを生じる。
【００３１】
こうして、十分な量の空気ＡＩＲが、欠口１４、１４Ａの位置のウレタンフォーム体２１を経て、ウレタンフォームクッション２を出入りする。
【００３２】
歩行時には、空気はウレタンフォームクッション２に導入され、走るとウレタンフォームクッション２の空気は排出される。
【００３３】
これに、上インソール１、１Ａの頂点面の通気孔１１、１１Ａを組み合わせ、空気の進退を達成し、くつ内空気の流通と空気呼吸効果を実現することができる。
【００３４】
くつ体Ｓかかと部底段において、欠口１４、１４Ａ後方位置に対称に、排気口Ｓ１をさらに開設する。
【００３５】
こうして、欠口１４、１４Ａの位置は、排気口Ｓ１に対応し、くつ体Ｓの外の新鮮な空気を導入でき、より良い通気と温度低下、快適効果を達成することができる（図１-Ｂ参照）。
【００３６】
図１Ｃ及び図１Ｄに示すとおり、上インソール１と下インソール３の後段には、欠口１４の上、下側とウレタンフォーム体２１により、凸伸状の凸型ブロック体１６を形成する。
【００３７】
凸型ブロック体１６は、くつ体Ｓのかかと部の底段に対称に設置する排気口Ｓ１に直接挿入でき、より良好な呼吸換気効果を達成することができる。
【００３８】
図３、図３Ａ及び図４に示すとおり、本考案第二実施形態において、上インソール１、１Ａの成型時には、その周囲には周囲フレーム１３、１３Ａを形成する。
【００３９】
かかと後方の周囲フレームには、１個或いは数個の任意の形状の欠口１５、１５Ａを陥没状に設置する。
【００４０】
これにより、同数で同形状の導気管４を設置可能となり、それはウレタンフォームクッション２の後端から後方へと伸び出し、導気管４により、欠口１５、１５Ａ部位の上インソール１、１Ａ及び下インソール３、３Ａを開かせることができる。
【００４１】
こうして、上インソール１、１Ａと下インソール３、３Ａ間の内部空気ＡＩＲが進退して、交換される開放型の空気流道を形成する。
【００４２】
後方へと伸び出す導気管４は、くつ体Ｓのかかと部の底段に対称に設置する欠口１５、１５Ａ後方位置に開設する排気口Ｓ２に対応し、導気管４を対応させて嵌め入れた後、その末端管口はくつ体Ｓの外へと伸び出る。
【００４３】
こうして、より良い通気と温度低下、快適効果を達成することができる（図３Ａ参照）。
【００４４】
図５、図５Ａ及び図６に示すとおり、本考案第三実施形態において、上インソール１の成型時には、その周囲に周囲フレーム１３、１３Ａを形成する。
【００４５】
かかと後方の周囲フレームには、１個或いは数個の任意の形状の欠口１５、１５Ａを陥没状に形成し、同数で短状の転接管５を設置する。
【００４６】
これにより、ウレタンフォームクッション２の後端は後方へと伸び出し、転接管５により欠口１５、１５Ａの部位の上インソール１、１Ａ及び下インソール３、３Ａを開かせる。
【００４７】
こうして、上インソール１、１Ａと下インソール３、３Ａ間の内部空気ＡＩＲが進退し、空気が交換される開放型の空気流道を形成する。
【００４８】
後方へと伸び出す転接管５の末端は、Ｌ型ケーシング６の底端の屈折嵌口６１を用いて嵌めて接続し、曲がり、延伸して設置する通気管道を形成することができる。
【００４９】
こうして、ケーシング６はくつ体Ｓのくつ本体内側に隠して設置され、管体末端出口はくつ体外へと伸び出て、転接管５、Ｌ型ケーシング６により、くつ体Ｓ外の新鮮な空気を導入或いは排出し、より良い通気と温度低下、快適効果を達成することができる（図５Ａ参照）。
【００５０】
図７、図７Ａに示すとおり、本考案第四実施形態は、上インソール１の底面の収容設置槽１２において、周囲フレーム１３により、ウレタンフォームクッション２を設置後、くつ底７の頂点面に直接接着させて封鎖し、ウレタンフォームクッション２を、上インソール１とくつ底７との間に挟んで設置し定位する。
【００５１】
くつ底７のかかと部底段に対称に設置するウレタンフォームクッション２の後段から延長して伸びる短状ウレタンフォーム体２１位置には、排気口７１を開設する。
【００５２】
これにより、ウレタンフォーム体２１はここから外へと伸び出し、内部空気ＡＩＲが進、出交換される開放型流道を形成する。
【００５３】
こうして、上インソール１及びウレタンフォームクッション２とウレタンフォーム体２１とを直接結合するシンプル型の呼吸可能な、くつ底構造を形成する。
【００５４】
図８、図９に示すとおり、本考案第五実施形態は、上インソール１、１Ａの底面の収容設置槽１２、１２Ａに、周囲フレーム１３、１３Ａによりウレタンフォームクッション２を設置した後、下インソール３、３Ａの頂点面に接着して封鎖し、ウレタンフォームクッション２は上インソール１、１Ａと下インソール３、３Ａの中間に挟んで設置し定位される。
【００５５】
下インソール３、３Ａ後段かかと部中段には、下向きに貫通する導気口３１、３１Ａを開設する。
【００５６】
これにより、下インソール３、３Ａのかかと部に接着するクッションブロック８を追加する。
【００５７】
クッションブロック８の後段には、折型引気口８１を開設し、導気口３１、３１Ａと対応して密封する。
【００５８】
折型引気口８１は、いくらか伸び出る引気管８２に嵌めて接続され、これにより、引気管８２の末端管口は、さらに、くつ体Ｓの排気口外へと伸び出る。
【００５９】
こうして、より良い通気と温度低下、快適効果を達成することができる。
【００６０】
上記を総合すると、上インソール１、１Ａ及び下インソール３、３Ａと中間のウレタンフォームクッション２からなるエア呼吸インソールは、歩行時には、くつの着用者が足を上げかかとが地面から離れ、ウレタンフォームクッション２の弾力回復原状時には、上インソール１、１Ａと下インソール３、３Ａにより組成される気室を押し開き、こうして、くつ体外の空気ＡＩＲは予め設置される空気流道を通り、気室内に吸入され、積極的な空気呼吸の効果を達成することができる。
【００６１】
図１０に示すとおり、くつの着用者の歩行時には、かかとＰ１は先ずインソールを踏む。
【００６２】
その時には、空気流道は、かかとに圧迫され封鎖状態となる。
【００６３】
続いて、前足部Ｐ２が下圧を持続させることで、気室内ウレタンフォームクッション２の空気ＡＩＲは、通気孔（空気流道）１１を経て前足部へと流出し、前足部付近の湿って熱い空気を押し出す。
【００６４】
くつの着用者が足を上げると、かかとＰ１は地面を離れ、圧縮を受けたウレタンフォームクッション２は原状を回復し、くつ外の空気は、導気管４を経て、ウレタンフォームクッション２に進入し、空気呼吸をスムーズに行う効果を達成することができる。
【００６５】
前述した本考案の実施形態は本考案を限定するものではなく、よって、本考案により保護される範囲は後述される実用新案登録請求の範囲を基準とする。
【符号の説明】
【００６６】
１、１Ａ…上インソール
２…ウレタンフォームクッション
３、３Ａ…下インソール
４…導気管
５…転接管
６…Ｌ型ケーシング
７…くつ底
８…クッションブロック
１１、１１Ａ…通気孔
１２、１２Ａ…収容設置槽
１３、１３Ａ…周囲フレーム
１４、１４Ａ…欠口
１５、１５Ａ…欠口
１６…凸型ブロック体
２１…ウレタンフォーム体
３１、３１Ａ…導気口
６１…屈折嵌口
７１…排気口
８１…折型引気口
８２…引気管
Ｐ…かかと
Ｐ１…かかと
Ｐ２…前足部
ＡＩＲ…空気
Ｓ…くつ体
Ｓ１、Ｓ２…排気口
【図１】
0003200163.tif 000003
【図１Ａ】
0003200163.tif 000004
【図１Ｂ】
0003200163.tif 000005
【図１Ｃ】
0003200163.tif 000006
【図１Ｄ】
0003200163.tif 000007
【図２】
0003200163.tif 000008
【図３】
0003200163.tif 000009
【図３Ａ】
0003200163.tif 000010
【図４】
0003200163.tif 000011
【図５】
0003200163.tif 000012
【図５Ａ】
0003200163.tif 000013
【図６】
0003200163.tif 000014
【図７】
0003200163.tif 000015
【図７Ａ】
0003200163.tif 000016
【図８】
0003200163.tif 000017
【図９】
0003200163.tif 000018
【図１０】
0003200163.tif 000019